(57)【特許請求の範囲】
【請求項１】
複数の送信機を備え、一方の送信機は他の送信機とは同時に送信動作を行わない送信装置において使用され、この送信装置での送信電力を検出する送信電力検出装置において、
前記複数の送信機のそれぞれに対応し、その対応する送信機の出力電力に応じた検出信号を出力する複数の検出手段と、
この複数の検出手段のそれぞれに対応し、その対応する検出手段の出力が入力端に入力されていて、かつ前記検出手段の出力における前記入力端から出力端に向かう電流のみを通す複数の整流手段と、
この複数の整流手段のそれぞれの出力端が１つの入力端に共通に接続されており、この入力端に現れる信号を平滑化する平滑化手段とを具備したことを特徴とする送信電力検出装置。
【請求項２】
前記整流手段は、ダイオードであることを特徴とする請求項１に記載の送信電力検出装置。
【請求項３】
前記平滑化手段は、コンデンサであることを特徴とする請求項１に記載の送信電力検出装置。
【請求項４】
複数の送信機を備え、一方の送信機は他の送信機とは同時に送信動作を行わない送信装置において、
前記複数の送信機のそれぞれに対応し、その対応する送信機の出力電力に応じた検出信号を出力する複数の検出手段と、
この複数の検出手段のそれぞれに対応し、その対応する検出手段の出力が入力端に入力されていて、かつ前記検出手段の出力における前記入力端から出力端に向かう電流のみを通す複数の整流手段と、
この複数の整流手段のそれぞれの出力端が１つの入力端に共通に接続されており、この入力端に現れる信号を平滑化する平滑化手段と、
この平滑化手段により平滑化された信号に基づいて前記送信動作を行う前記送信機の送信電力を制御する制御手段とを具備したことを特徴とする送信装置。
【請求項５】
前記複数の送信機は、それぞれ異なる周波数帯の信号を送信するものであることを特徴とする請求項４に記載の送信装置。
【請求項６】
前記複数の送信機は、同一の送信方式で信号を送信するものであることを特徴とする請求項５に記載の送信装置。
【発明の詳細な説明】
【０００１】
【発明の属する技術分野】
本発明は、例えば無線電話装置などのような送信装置と、このような送信装置における送信電力の検出を行う送信電力検出装置とに関する。
【０００２】
【従来の技術】
図３は従来の無線電話装置の無線送信部の構成を示す図である。
【０００３】
無線電話装置は、送信周波数が所定周波数ｆ１である送信機１と、送信周波数がｆ１よりも高い所定周波数ｆ２である送信機２とを備えている。これら送信機１，２はそれぞれ、変調器１ａ，２ａ、中間周波帯発振器１ｂ，２ｂ、ＡＧＣアンプ１ｃ，２ｃ、アップコンバータ１ｄ，２ｄ、ローカル発振器１ｅ，２ｅ、バンドパスフィルタ１ｆ，２ｆおよび電力増幅器１ｇ，２ｇを備えて構成されている。
【０００４】
これら送信機１，２は、制御部３によって双方が同時に送信信号の出力を行うことがないようにその送信動作が制御される。送信機１，２から出力される送信信号は、バンドパスフィルタ４，５およびアンテナ切替え機６を介してアンテナ７へと与えられて、このアンテナ７により放射される。
【０００５】
この種の無線電話装置では、送信電力制御などのために送信電力を監視する必要があり、そのために送信電力検出装置８が設けられている。
【０００６】
この送信電力検出装置８は、電力検出器（ＤＥＴ）８ａ，８ｂ、整流ダイオード８ｃおよび平滑コンデンサ８ｄを備えている。
【０００７】
電力検出器８ａ，８ｂは、送信機１，２からのそれぞれの出力信号の電力レベルを検出し、その電力レベルを表わす検出信号を出力する。かくして検出信号は、送信機１，２からの出力信号の電力レベルの変動に応じてレベルが変動する交流の信号となる。
【０００８】
これら電力検出器８ａ，８ｂの出力端は、ともに整流ダイオード８ｃのアノードに接続されている。整流ダイオード８ｃのカソードには出力端子Ｔが接続されるとともに、平滑コンデンサ８ｄを介して接地されている。かくして、電力検出器８ａ，８ｂのいずれかから出力された検出信号は、整流ダイオード８ｃおよび平滑コンデンサ８ｄにより直流電圧に変換されて出力端子Ｔより出力される。
【０００９】
このように送信電力検出装置８では、送信機１，２が送信動作を同時には行わないことを利用して、整流ダイオード８ｃおよび平滑コンデンサ８ｄよりなる直流電圧変換回路を共用としている。そしてこれにより、回路規模の縮小を図っているのである。
【００１０】
ところが、送信電力検出装置８が以上のような構成であると、一方の送信機の出力信号の一部が他方の送信系に引き込まれてしまい、無駄な損失が生じることとなる。この結果として、送信電力が小さくなってしまう。
【００１１】
また、周波数ｆ１と周波数ｆ２との関係によっては、一方の周波数の高調波が他方の周波数と同一周波帯となってしまう場合がある。このような場合には他方の送信系へと引き込まれてしまった高調波がバンドパスフィルタ４またはバンドパスフィルタ５を通過してアンテナ７へと供給されてしまい、高調波成分が放射されてしまうおそれがある。
【００１２】
【発明が解決しようとする課題】
以上のように従来の送信電力検出装置は、複数の送信系のそれぞれにおける出力信号の電力レベルを検出する電力検出器をそれぞれ設け、これらの電力検出器の出力端を単一の電流変換回路に共通に接続するようにしている。このため、いずれかの電力検出器の出力が他の電力検出器を介して他の送信系へと引き込まれてしまい、送信電力の損失の増大や不要波の放出などといった不具合を招くおそれがあった。
【００１３】
本発明はこのような事情を考慮してなされたものであり、その目的とするところは、複数の送信系間での送信信号の引き込みが生じることを防止することが可能で、しかも簡易な構成によりそれを達成することが可能な送信電力検出装置および送信装置を提供することにある。
【００１４】
【課題を解決するための手段】
以上の目的を達成するために本発明は、例えば互いに異なる周波数帯の信号を同一方式で送信する複数の送信機のそれぞれに対応し、その対応する送信機の出力電力に応じた検出信号を出力する複数の検出手段と、この複数の検出手段のそれぞれに対応し、その対応する検出手段の出力が入力端に入力されていて、かつ前記検出手段の出力における前記入力端から出力端に向かう電流のみを通す複数の例えばダイオードなどの整流手段と、この複数の整流手段のそれぞれの出力端が１つの入力端に共通に接続されており、この入力端に現れる信号を平滑化する例えばコンデンサなどの平滑化手段とを備えた。
【００１５】
このような手段を講じたことにより、送信動作を行う送信機に対応した検出手段が出力する検出信号は、この検出手段に対応した整流手段により整流され、さらに平滑化手段により平滑化されて直流電圧に変換される。このとき、送信動作を行わない送信機に対応する検出手段に対応した整流手段により、対応する検出手段へと上記整流手段が出力する信号が流れるのが阻止される。従って、ある送信機の系の出力が他の送信機の系へと引き込まれることが防止される。
【００１６】
【発明の実施の形態】
以下、図面を参照して本発明の一実施形態につき説明する。
【００１７】
図１は本実施形態に係る送信電力検出装置および送信装置を適用して構成された無線電話装置の無線送信部の構成を示す図である。なお、図３と同一部分には同一符号を付している。
【００１８】
この図に示す無線電話装置の無線送信部は、送信機１，２、バンドパスフィルタ４，５、アンテナ切替え機６、アンテナ７、送信電力検出装置９および制御部１０を有している。
【００１９】
送信機１は、変調器１ａ、中間周波帯発振器１ｂ、ＡＧＣアンプ１ｃ、アップコンバータ１ｄ、ローカル発振器１ｅ、バンドパスフィルタ１ｆおよび電力増幅器１ｇを備えて構成されている。また送信機２は、変調器２ａ、中間周波帯発振器２ｂ、ＡＧＣアンプ２ｃ、アップコンバータ２ｄ、ローカル発振器２ｅ、バンドパスフィルタ２ｆおよび電力増幅器２ｇを備えて構成されている。
【００２０】
図示しないベースバンド部から与えられるベースバンドの送信信号を変調信号として、中間周波帯発振器１ｂ，２ｂから与えられる中間周波帯信号に変調器１ａ，１ｂで変調をかけることで中間周波帯の送信信号を生成する。変調器１ａ，１ｂから出力される中間周波帯の送信信号は、ＡＧＣアンプ１ｃ，２ｃで増幅される。ＡＧＣアンプ１ｃ，２ｃで増幅された後の送信信号は、アップコンバータ１ｄ，２ｄでローカル発振器１ｅ，２ｅから与えられる周波数ｆ１，ｆ２のローカル信号がミキシングされることで、周波数ｆ１，ｆ２を中心周波数とする無線周波数帯にそれぞれアップコンバートされる。アップコンバータ１ｄ，２ｄから出力される無線周波数帯の送信信号は、バンドパスフィルタ１ｆ，２ｆにより不要な周波数成分が除去される。さらにバンドパスフィルタ１ｆ，２ｆを通過した送信信号は、電力増幅器１ｇ，２ｇにより無線送信するのに必要な電力レベルまで電力増幅される。そしてこの電力増幅器１ｇ，２ｇの出力が送信機１，２のそれぞれの出力とされる。
【００２１】
バンドパスフィルタ４，５は、送信機１，２のそれぞれから出力される無線周波数帯の送信信号に含まれる不要な電力を除去する。
【００２２】
アンテナ切替え機６は、バンドパスフィルタ４，５からそれぞれ出力される無線周波数帯の送信信号をそれぞれアンテナ７へと供給する。アンテナ７は、このようにアンテナ切替え機６から与えられる送信信号を放射する。
【００２３】
送信電力検出装置９は、検出手段としての電力検出器（ＤＥＴ）８ａ，８ｂ、平滑手段としての平滑コンデンサ８ｄおよび整流手段としてのダイオード９ａ，９ｂを備えている。
【００２４】
電力検出器８ａ，８ｂには、送信機１，２が出力する送信信号がそれぞれ分岐入力されている。電力検出器８ａ，８ｂは、これらの分岐入力される送信信号の電力レベルを検出し、その電力レベルにリアルタイムに応じたレベルをもつ検出信号を出力する。かくして検出信号は、送信機１，２からの出力信号の電力レベルの変動に応じてレベルが変動する交流の信号となる。
【００２５】
ダイオード９ａは電力検出器８ａが出力する検出信号が、またダイオード９ｂは電力検出器８ｂが出力する検出信号がそれぞれのアノードに与えられる。ダイオード９ａ，９ｂのカソードは、出力端子Ｔへと共通に接続されている。
【００２６】
平滑コンデンサ８ｄは、一端がダイオード９ａ，９ｂのカソードに接続され、また他端が接地されている。
【００２７】
制御部１０は、送信機１，２の動作を制御するものである。この制御部１０は例えば図２に示すように、送信機１，２の双方が同時に送信信号の出力を行うことがないように、送信機１，２の送信動作をＯｎ／Ｏｆｆする。また制御部１０は、出力端子Ｔからの出力に基づいて、送信出力を所定レベルに調整するべくＡＧＣアンプ１ｃ，２ｃの利得を制御する。
【００２８】
次に以上のように構成された無線電話装置の動作につき説明する。なお、送信信号の送信に係る動作については従来よりある同種の装置と同様であるのでその説明は省略し、ここでは送信電力検出装置９での送信電力検出に拘わる動作のみを説明することとする。
【００２９】
まず、送信機１，２は制御部１０の制御の下に互いに異なるタイミングで送信動作を行う。
【００３０】
さて、まず送信機１が送信動作を行っているとすると、送信機１から送信信号が出力され、これがバンドパスフィルタ４、アンテナ切替え機６を介してアンテナ７へと与えられてアンテナ７から放射される。そしてこのときに送信機１から出力される送信信号が送信電力検出装置９の電力検出器８ａへと分岐入力される。このとき、送信機２は送信動作を行っていないから、送信電力検出装置９の電力検出器８ｂへの送信信号の入力はない。
【００３１】
従ってこの状態にあっては、電力検出器８ａが出力する検出信号がダイオード９ａにより整流されるとともに、平滑コンデンサ８ｄにより平滑される。この結果、出力端子Ｔには電力検出器８ａが出力する検出信号のレベル、すなわち送信機１が出力する送信信号の電力レベルに応じたレベルを有する直流電圧が現れることとなる。そしてこのとき、ダイオード９ａを通過した信号はダイオード９ｂにより阻止されるために電力検出器８ｂへと流れることはない。つまり、送信機１が出力する送信信号が送信機２の側の送信系に引き込まれることがダイオード９ｂにより阻止される。
【００３２】
逆に送信機２が送信動作を行っているとすると、送信機２から送信信号が出力され、これがバンドパスフィルタ５、アンテナ切替え機６を介してアンテナ７へと与えられてアンテナ７から放射される。そしてこのときに送信機２から出力される送信信号が送信電力検出装置９の電力検出器８ｂへと分岐入力される。このとき、送信機１は送信動作を行っていないから、送信電力検出装置９の電力検出器８ａへの送信信号の入力はない。
【００３３】
従ってこの状態にあっては、電力検出器８ｂが出力する検出信号がダイオード９ｂにより整流されるとともに、平滑コンデンサ８ｄにより平滑される。この結果、出力端子Ｔには電力検出器８ｂが出力する検出信号のレベル、すなわち送信機２が出力する送信信号の電力レベルに応じたレベルを有する直流電圧が現れることとなる。そしてこのとき、ダイオード９ｂを通過した信号はダイオード９ａにより阻止されるために電力検出器８ａへと流れることはない。つまり、送信機２が出力する送信信号が送信機１の側の送信系に引き込まれることがダイオード９ａにより阻止される。
【００３４】
このように本実施形態によれば、一方の送信系の送信信号が送信電力検出装置９を介して他方の送信系へと引き込まれてしまうことがなく、これにより無駄な損失が生じることが確実に防止される。また、一方の送信系の送信信号の高調波が他方の送信系へ引き込まれることを防ぐので、この高調波のような不要波が放出されてしまうことが確実に防止される。
【００３５】
しかも本実施形態では、単一のダイオードを整流用および阻止用のいずれとしても動作させるようにしているので、非常に簡易な構成で実現可能となっている。
【００３６】
なお、本発明は上記実施形態に限定されるものではない。例えば上記実施形態では、２つの送信機１，２を備えた無線電話装置に適用されるものとしているが、送信機が３つ以上備えられる場合でも、個々の送信機に対応してダイオードを設けることで容易に適応可能である。また各送信機の送信周波数は互いに異なっている必要は無く、送信周波数が同一である送信機が複数含まれていても良い。
【００３７】
また上記実施形態では、無線電話装置に適用されるものとして説明しているが、本発明の送信電力検出装置は他の無線送信装置や、あるいは有線送信装置などにも適用可能である。
【００３８】
また上記実施形態では、整流手段としてダイオード９ａ，９ｂを用いているが、類似した電気的作用を奏するものであれば、他の種類の素子や回路を用いるようにしても良い。
【００３９】
また上記実施形態では、平滑手段として平滑コンデンサ８ｄを用いているが、類似した電気的作用を奏するものであれば、他の種類の素子や回路を用いるようにしても良い。
【００４０】
このほか、本発明の要旨を逸脱しない範囲で種々の変形実施が可能である。
【００４１】
【発明の効果】
本発明によれば、送信動作を行う送信機に対応した検出手段が出力する検出信号を、この検出手段に対応した整流手段により整流し、さらに平滑化手段により平滑化して直流電圧に変換する。そしてこのときに、送信動作を行わない送信機に対応する検出手段に対応した整流手段は、対応する検出手段へと上記整流手段が出力する信号が流れるのを阻止する。従って、ある送信機の系の出力が他の送信機の系へと引き込まれることが防止されることとなって、この結果、複数の送信系間での送信信号の引き込みが生じることを防止することが可能で、さらに整流手段に整流と流出阻止との双方を行わせるので、簡易な構成によりそれを達成することが可能となる。
【図面の簡単な説明】
【図１】本発明の一実施形態に係る送信電力検出装置および送信装置を適用して構成された無線電話装置の無線送信部の構成を示す図。
【図２】送信機１，２のそれぞれの送信動作の実行タイミングの一例を示すタイミング図。
【図３】従来の送信電力検出装置を適用して構成された無線電話装置の無線送信部の構成を示す図。
【符号の説明】
１，２…送信機
４，５…バンドパスフィルタ
６…アンテナ切替え機
７…アンテナ
９…送信電力検出装置
８ａ，８ｂ…電力検出器（ＤＥＴ）
８ｄ…平滑コンデンサ
９ａ，９ｂ…ダイオード
１０…制御部
【図１】
0004127600.tif 000002
【図２】
0004127600.tif 000003
【図３】
0004127600.tif 000004